(57)【要約】【課題】  ユーザが編集入力できる編集画像のバリエーションを増加させるとともに、増加された編集画像を容易に選択、入力でき、好みに応じた個性的な写真シールを作成できるようにする。【解決手段】  ユーザ７を撮影するカメラ２と、所定の模様画像で構成される編集画像を記憶するＨＤＤ２６ｂと、カメラ２で撮影した撮影画像に対して前記編集画像の入力を受け付ける受付手段と、前記受付手段で受け付けた編集画像と前記撮影画像とを合成する合成手段と、前記合成手段で合成した合成画像をシール紙に印刷するプリンタとを備え、前記受付手段で入力を受け付ける編集画像の模様画像の分布および／または密度を調整する調整手段を備える。【選択図】図１２
2007295032.tif 000002
【特許請求の範囲】
【請求項１】
被写体を撮影する撮影手段と、所定の模様画像で構成される編集画像を記憶する記憶手段と、前記撮影手段で撮影した撮影画像に対して前記編集画像の入力を受け付ける受付手段と、前記受付手段で受け付けた編集画像と前記撮影画像とを合成する合成手段と、前記合成手段で合成した合成画像をシール紙に印刷する印刷手段とを備え、前記受付手段で入力を受け付ける編集画像の模様画像の分布および／または密度を調整する調整手段をさらに備えることを特徴とする写真シール作成装置。
【請求項２】
記憶手段は、分布および／または密度の異なる複数のパタン画像を記憶し、調整手段は、受付手段による受け付けごとに、前記パタン画像を入力することにより、前記分布および／または密度を調整することを特徴とする請求項１記載の写真シール作成装置。
【請求項３】
調整手段は、受付手段による受け付けごとに、模様画像の密度を高めるよう調整することを特徴とする請求項２記載の写真シール作成装置。
【請求項４】
調整手段は、受付手段による受け付けごとに、撮影画像の外側から中央側へ向けて模様画像が分布するよう調整することを特徴とする請求項２または３記載の写真シール作成装置。
【請求項５】
被写体を撮影する撮影ステップと、前記撮影ステップで撮影した撮影画像に対して、所定の模様画像で構成される編集画像の入力を受け付ける受付ステップと、前記受付ステップで受け付けた編集画像と前記撮影画像とを合成する合成ステップと、前記合成ステップで合成した合成画像をシール紙に印刷する印刷ステップとを備え、前記受付ステップで入力を受け付ける編集画像の模様画像の分布および／または密度を調整する調整ステップをさらに備えることを特徴とする写真シール作成装置の制御方法。
【請求項６】
被写体を撮影する撮影ステップと、前記撮影ステップで撮影した撮影画像に対して、所定の模様画像で構成される編集画像の入力を受け付ける受付ステップと、前記受付ステップで受け付けた編集画像と前記撮影画像とを合成する合成ステップと、前記合成ステップで合成した合成画像をシール紙に印刷する印刷ステップとを備え、前記受付ステップで入力を受け付ける編集画像の模様画像の分布および／または密度を調整する調整ステップをさらに備えることを特徴とする写真シール作成装置の制御プログラム。
【発明の詳細な説明】
【技術分野】
【０００１】
本発明は、写真シール作成装置、写真シール作成装置の制御方法、ならびに写真シール作成装置の制御プログラムに関する。
【背景技術】
【０００２】
アミューズメント施設等に設置され、設けられた撮影ブース内において被写体（ユーザ）を自動的に撮影し、この撮影画像と、付属のタッチペンによりユーザから入力される文字や図形、あらかじめ記憶されているスタンプ画像、フレーム画像、背景画像などの編集画像とを合成して印刷用画像を作成し、この印刷用画像をシールシート等の印刷媒体に印刷して提供する写真シール作成装置があることは広く知られている。
【０００３】
このような写真シール作成装置においては、被写体の撮影を行うための撮影ブースと、撮影した画像に対して編集を行うための編集ブースとが互いに異なる位置に設けられ、異なるユーザが撮影行為と編集行為とを同時に行えるようにした、いわゆる多重接客方式を採用しているものがある。
【０００４】
ところで、近年の写真シール作成装置の利用者層は、比較的に若いユーザが多くを占めており、このようなユーザからは、作成できる写真の綺麗さに加えて、撮影画像に対して楽しく編集（落書き）できる装置や、より個性的な写真を作成することができる装置が好まれる傾向にある。
【０００５】
このような中、撮影画像の編集時においてユーザが編集画像としてどのような画像を選択するのかによって、各ユーザの個性の表現方法が変わり、しかも写真の仕上がりが全く異なる面白さになることから、ペン画像、スタンプ画像、フレーム画像等の種類は豊富に用意されている。
【０００６】
一方、上記のように編集画像が豊富に用意されていることから、編集時にユーザから、ペン画像を入力するためのペンツール、スタンプ画像を入力するためのスタンプツール、フレーム画像を入力するためのフレームツールのそれぞれが選択された際には、これらの画像のサンプル画像は、ディスプレイにおける撮影画像が表示されていない領域にパレット表示されるようになっている。これにより、ユーザは、自身が使用したいツールの編集画像を数ある選択肢の中から容易かつ迅速に選択することができる。
【０００７】
しかしながら、編集時に使用することができる編集画像は、パレットに表示されているものに限られているので、ユーザはどのような図柄なのかをひとめで判断することができる。したがって、編集画像が豊富に用意されていても、ユーザによっては不満に思うこともある。
【０００８】
このような中、パレットに表示されていない編集画像を使用できるようにしてユーザに対して満足感を与えるようにしたもの（例えば特許文献１〜３参照）、パレット表示されているサンプル画像の色等を変化させることで他人とは異なる編集画像を使用できるようにし、ユーザに対して満足感を与えるようにしたもの（例えば特許文献４参照）などがある。
【０００９】
例えば特許文献１には、あらかじめ、対になる４種類のアクションスタンプ画像を用意しておき、ユーザが、タッチペンによりアクションスタンプを選択してディスプレイにおける大表示枠をタッチする（接触状態を維持し続ける）と、その間、前記４種類のアクションスタンプ画像が所定の間隔で順に大表示枠に表示され、ユーザが大表示枠からペン先を離すと、その時点において表示されているアクションスタンプ画像が、落書き画像として決定されることが記載されている（例えば、段落〔００９０〕〜〔００９４〕、図８〜図１０参照）。
【００１０】
また、特許文献２には、ユーザが「ふうせんスタンプ」、「回転スタンプ」、「七色スタンプ」、「いっぱいスタンプ」などの所定の機能のスタンプツールを選択し、タッチペンによりディスプレイの所定の位置をタッチする（接触状態を維持し続ける）と、その間、「ふうせんスタンプ」が選択されている場合には、スタンプ画像が所定の間隔で拡大・縮小して表示され（例えば、段落〔０１８２〕、〔０１８３〕、図３２参照）、「回転スタンプ」が選択されている場合には、スタンプ画像が回転しているような画像が順次表示され（例えば、段落〔０１８９〕、図３３参照）、「七色スタンプ」が選択されている場合には、スタンプ画像の向きが変化して表示されつつ、タッチペンのペン先の移動に伴って色がランダムに変化するように表示され（例えば、段落〔０１９１〕、図３４参照）、さらに「いっぱいスタンプ」が選択されている場合には、表示されるスタンプ画像の数が時間とともに増えて表示される（例えば、段落〔０１９８〕、図３６参照）ことが記載されている。
【００１１】
また、特許文献３には、あらかじめ、対になる５種類のスタンプ画像を用意しておき、「パタパタスタンプ」が選択された場合には、ユーザがタッチペンでディスプレイをタッチすると、最初にタッチされた位置で、タッチされるごとに、用意していた５種類の画像が順次、切り替えられて表示されること（例えば、段落〔０３２９〕、図３４（Ａ）参照）が記載されており、また、ユーザがタッチペンでディスプレイをタッチすると、タッチされた位置において、タッチされるごとに、用意していた５種類の画像が順次、表示されること（例えば、段落〔０３３２〕、図３４（Ｂ）参照）が記載されている。
【００１２】
また、特許文献４には、編集作業を行う際に用いる編集画像を変化させるためのスーパーチェンジボタンを編集画像ごとに備え、ユーザによりスーパーチェンジボタンがタッチされると、編集画像の色や大きさなどを、編集対象となる画像（表示されている撮影画像）上ではなく、パレット上において、変化させることが記載されている（例えば、段落〔００８２〕、図８および図９参照）。
【特許文献１】特開２００２−３０４６６９号公報
【特許文献２】特開２００３−３７８１３号公報
【特許文献３】特開２００５−８０２８４号公報
【特許文献４】特開２００４−１５３６１３号公報
【発明の開示】
【発明が解決しようとする課題】
【００１３】
しかしながら、上記の特許文献１および特許文献２に記載されている技術によれば、ユーザは豊富な種類のスタンプ画像を楽しむことができるが、これらのスタンプ画像の図柄は、ユーザの操作により、時間とともに変化するようにされ、ユーザが、この変化を任意のタイミングでストップさせることで、使用できる図柄が決定される。このため、例えばユーザが所望する図柄が存在しても、ユーザが、所定のタイミングでうまく上記変化をストップさせることができなければ、所望する図柄を選択することができない、すなわち所望しない図柄が選択されてしまうことがある。したがって、ユーザにとっては、所望する図柄を再び選択するという煩わしい作業が必要となり、編集作業に余計な時間がかかってしまう。
【００１４】
また、特許文献３に記載された技術によれば、ユーザが所望するタイミングで、スタンプ画像を変化させることができるので、ユーザは、所望するスタンプ画像の図柄を容易に選択することができるが、選択したスタンプ画像は、ユーザが落書き画像入力領域をタッチした位置に入力されるため、操作に不慣れなユーザ（またはこのパタパタスタンプ機能を初めて使用するユーザ）の場合、所望しない位置にスタンプ画像が配置されることになり、スタンプ画像を所望の位置に配置するためには時間がかかってしまう。また、どの位置にスタンプ画像を配置するかによって、写真に対する見栄えの良し悪しが分かれるため、ユーザはにとってはさらに時間がかかってしまう結果になる。
【００１５】
さらに、特許文献４に記載されている技術によれば、スーパーチェンジボタンにより、スタンプ画像の色や大きさなどをリアルタイムで変化させ続けることができ、ユーザが個性的な写真を作成するには役立つが、色や大きさ等を決定してから描画領域（編集対象画像）に対して描き込みを行うため、編集対象画像に対して、選択したスタンプ画像の色や大きさなどのバランスを合わせることが難しく、作業に時間がかかってしまう。
【００１６】
そこで本発明はこのような問題を解決して、撮影した画像に対して編集画像を入力する写真シール作成装置において、ユーザが編集入力できる編集画像のバリエーションを増加させるとともに、増加された編集画像を容易に選択、入力でき、好みに応じた個性的な写真シールを作成できるようにすることを目的とする。
【課題を解決するための手段】
【００１７】
上記課題を解決するために請求項１記載の発明は、被写体を撮影する撮影手段と、所定の模様画像で構成される編集画像を記憶する記憶手段と、前記撮影手段で撮影した撮影画像に対して前記編集画像の入力を受け付ける受付手段と、前記受付手段で受け付けた編集画像と前記撮影画像とを合成する合成手段と、前記合成手段で合成した合成画像をシール紙に印刷する印刷手段とを備え、前記受付手段で入力を受け付ける編集画像の模様画像の分布および／または密度を調整する調整手段をさらに備えるものである。
【００１８】
このような構成によると、編集画像は、調整手段により模様画像の分布および／または密度が調整されるので、例えば従来では、一度の操作で入力していた編集画像を、数回に分けて徐々に入力することができ、ユーザに対して驚きを与えることができる。
【００１９】
請求項２記載の発明は、請求項１記載の写真シール作成装置において、記憶手段は、分布および／または密度の異なる複数のパタン画像を記憶し、調整手段は、受付手段による受け付けごとに、前記パタン画像を入力することにより、前記分布および／または密度を調整するものである。
【００２０】
このような構成によれば、調整手段は、受付手段による受け付けごとに、パタン画像を入力することにより、前記分布および／または密度を調整するので、ユーザは、所定のタイミングで所望のパタン画像を容易に選択することができる。また、このように所定のタイミングで所望のパタン画像を容易に選択することができるので、例えば、撮影画像に対して表示される前に編集画像の図柄や色を決定する場合に比べて、撮影画像に対する大きさや色合いなどのバランスを容易に確認することができ、所望しない編集画像が入力されることを抑制することができる。
【００２１】
請求項３記載の発明は、請求項２記載の写真シール作成装置において、調整手段は、受付手段による受け付けごとに、模様画像の密度を高めるよう調整するものである。
【００２２】
このような構成によれば、調整手段は、受付手段による受け付けごとに、模様画像の密度を高めるよう調整するので、編集画像は徐々に多くなり、ユーザに対して驚きを与えることができる。
【００２３】
請求項４記載の発明は、請求項２または３記載の写真シール作成装置において、調整手段は、受付手段による受け付けごとに、撮影画像の外側から中央側へ向けて模様画像が分布するよう調整するものである。
【００２４】
このような構成によれば、例えばユーザが全身撮影を行って、撮影画像の周縁部とユーザ（被写体）との間に大きな隙間が生じる場合であっても、調整手段は、受付手段による受け付けごとに、撮影画像の外側から中央側へ向けて模様画像が分布するよう調整するので、上記のような隙間に画像を詰めるようにすることができ、前記隙間が目立たない、仕上がり具合の良好な写真を作成することができる。
【００２５】
請求項５記載の発明は、被写体を撮影する撮影ステップと、前記撮影ステップで撮影した撮影画像に対して、所定の模様画像で構成される編集画像の入力を受け付ける受付ステップと、前記受付ステップで受け付けた編集画像と前記撮影画像とを合成する合成ステップと、前記合成ステップで合成した合成画像をシール紙に印刷する印刷ステップとを備え、前記受付ステップで入力を受け付ける編集画像の模様画像の分布および／または密度を調整する調整ステップをさらに備えるものである。
【００２６】
このようにすると、編集画像は、調整ステップにより模様画像の分布および／または密度が調整されるので、例えば従来では、一度の操作で入力していた編集画像を、数回に分けて徐々に入力することができ、ユーザに対して驚きを与えることができる。
【００２７】
請求項６記載の発明は、被写体を撮影する撮影ステップと、前記撮影ステップで撮影した撮影画像に対して、所定の模様画像で構成される編集画像の入力を受け付ける受付ステップと、前記受付ステップで受け付けた編集画像と前記撮影画像とを合成する合成ステップと、前記合成ステップで合成した合成画像をシール紙に印刷する印刷ステップとを備え、前記受付ステップで入力を受け付ける編集画像の模様画像の分布および／または密度を調整する調整ステップをさらに備えるものである。
【００２８】
これによると、編集画像は、調整ステップにより模様画像の分布および／または密度が調整されるので、例えば従来では、一度の操作で入力していた編集画像を、数回に分けて徐々に入力することができ、ユーザに対して驚きを与えることができる。
【発明の効果】
【００２９】
以上のように本発明によれば、撮影した画像に対して編集画像を入力する写真シール作成装置において、ユーザが編集入力できる編集画像のバリエーションを増加させるとともに、増加された編集画像を容易に選択、入力でき、好みに応じた個性的な写真シールを作成することができる。
【発明を実施するための最良の形態】
【００３０】
本発明の実施の形態の写真シール作成装置１を、図１〜図２８を参照しながら説明する。
【００３１】
（外観構成）
まず、写真シール作成装置１の外観構成から説明する。図１は、写真シール作成装置１の側面図、図２は、撮影側筐体３を撮影ブース６内から見た図である。
【００３２】
図１に示すように、写真シール作成装置１は、利用者（被写体）を撮影する撮影手段としてのカメラ２を備えるとともに種々の処理および制御を行う機器を備える撮影側筐体３と、この撮影側筐体３におけるカメラ２と対向する位置に距離を置いて設けられている背景ユニット４と、撮影側筐体３と背景ユニット４の上部に左右一対の天井フレーム５が架設されて形成される撮影ブース６内に設けられ、被写体であるユーザ７の撮影ポーズの形成を補助する門型のはしご８および移動可能な可動椅子９と、撮影側筐体３の背面に隣接して設けられている編集側筐体１０とを備える。
【００３３】
撮影側筐体３における背景ユニット４に対向する側の面には、カメラ２のほか、図２に示すように、カメラ２が現在撮影している画像をユーザ７に対してリアルタイムで表示するとともに、ユーザ７からの操作入力の受付、およびデモ画面や撮影操作の手順等をユーザ７に対して表示するタッチパネルディスプレイ１１と、撮影時にユーザ７を照射するための複数のストロボ１２ａ〜１２ｄ（以下、これらに区別をつける必要が無い場合には単にストロボ１２と記す）と、対価であるコインを投入するためのコイン投入口１３と、撮影操作時に音声案内やＢＧＭを出力する撮影側スピーカ１４とが設けられている。
【００３４】
さらに、この撮影側筐体３の外部における一方の側面にはプリント取出口１５が設けられ、このプリント取出口１５からは、撮影画像と編集入力した画像とを合成した印刷用画像（編集画像を入力しなかった場合には撮影画像）が撮影側筐体３の内部に収納された印刷手段としてのプリンタ１６（図３参照）によってシールシート１７（図３参照）などの印刷媒体に印刷されたものが排出される。
【００３５】
背景ユニット４の上部には、撮影時に上下方向に展開されてユーザ７の背景となる複数種類、ここでは３種類の背景カーテン１８ａ〜１８ｃを備えたカーテンユニット１８が設けられている。背景カーテン１８ａ〜１８ｃは、未使用時にはカーテンユニット１８内に巻き取られた状態で収納される。これらの背景カーテン１８ａ〜１８ｃは、ユーザ７からのタッチパネルディスプレイ１１への操作を介して指定されたものが、背景ユニット４の壁面に沿って展開される。なお、背景カーテン１８ａ〜１８ｃのうちのいずれかは、後述するクロマキ合成を好適に行えるように緑などの単色のものとされており、本実施の形態においては、背景カーテン１８ａが緑色の単色で、撮影時にユーザの背景として展開される場合を説明する。
【００３６】
編集側筐体１０には、撮影ブース６において撮影した画像を表示してタッチペン１９Ａ、１９Ｂ（以下、これらに区別をつける必要が無い場合には単にタッチペン１９と記す）によりユーザ７からの編集画像の入力操作を受け付ける受付手段としてのタブレットディスプレイ２０と、編集画像の入力操作時に音声案内やＢＧＭを出力する編集側スピーカ２１（図３参照）とが設けられている。２２Ａは、撮影ブース６とは異なる箇所に設けられて、ユーザ７が、撮影された画像に対して編集行為を行う編集ブースである。なお、図１においては現れていないが、編集側筐体１０の反対側にも、タッチペン１９Ａ、１９Ｂ、タブレットディスプレイ２０、編集側スピーカ２１が設けられて編集ブース２２Ｂが設けられており、異なる２組のユーザが、それぞれが撮影した画像に対して同時に編集行為を行うことが可能とされている。したがって、本実施の形態の写真シール作成装置１は、一つの撮影ブース６と二つの編集ブース２２Ａ、２２Ｂとを備える三重接客方式を採用している。上記編集ブース２２Ａ、２２Ｂの周囲には、ユーザ７がそれぞれのブースにおいて編集作業をする際に、他の利用者から画像等の内容が見えないようにするための周囲カーテンが設けられているが、図面の煩雑化を避けるため、図示は省略している。
【００３７】
上記の写真シール作成装置１は、ユーザ７からのニーズに対応すべくさまざまな機能、例えば音声案内機能、ストロボ照射光の変更機能などを備えている。これらさまざまの機能を実現するための機能構成を、図３を参照しながら説明する。図３は、写真シール作成装置１の機能構成を示すブロック図である。
【００３８】
（機能構成）
写真シール作成装置１は、図３に示すように、カメラ２による撮影およびカメラ２によって撮影した画像の転送など、撮影側の処理を実行する撮影用コンピュータ装置２３ａと、編集処理時にユーザ７からタブレットディスプレイ２０に入力された内容をこのタブレットディスプレイ２０に表示するとともに、入力に基づいて編集入力する画像の作成、描画などを行う編集に関する処理や、プリンタ１６の印刷に関する処理を実行する画像編集用コンピュータ装置２３ｂと、動作中のコンピュータ装置２３ａ、２３ｂからの指示を受け付けて、接続されている各種装置を制御する制御基板２４とを備える。この撮影用コンピュータ装置２３ａと画像編集用コンピュータ装置２３ｂとは互いに接続され、画像データなどの授受をピアツーピアで行う。
【００３９】
コンピュータ装置２３ａ、２３ｂは、ＣＰＵ(Ｃｅｎｔｒａｌ  Ｐｒｏｃｅｓｓｉｎｇ  Ｕｎｉｔ)２５ａ、２５ｂと、写真シール作成装置１に所定の処理を実行させるためのプログラム、種々の処理に必要なグラフィックデータ、音声データ、撮影画像、編集入力する画像などを記憶する記憶手段としてのハードディスクドライブ（ＨＤＤ）２６ａ、２６ｂと、プログラムの一時的な作業領域となるメモリ２７ａ、２７ｂとを有する。
【００４０】
撮影用コンピュータ装置２３ａは、カメラ２、クロマキーキャプチャーボード２８、タッチパネルディスプレイ１１、制御基板２４と電気的に接続され、撮影ブース６での撮影側の処理を実行する。具体的には、内部のＨＤＤ２６ａに記憶された撮影側の処理についてのプログラムを実行して、ユーザ７からタッチパネルディスプレイ１１を介して受け付けた入力操作に基づく指示信号に従って、制御基板２４に対して制御信号を送信する。
【００４１】
画像編集用コンピュータ装置２３ｂは、プリンタ１６、タブレットディスプレイ２０、制御基板２４に電気的に接続され、編集ブース２２Ａ、２２Ｂでの編集に関する処理および撮影側筐体３内に収納されているプリンタ１６の印刷処理を実行する。具体的には、画像編集用コンピュータ装置２３ｂは、ユーザがタブレットディスプレイ２０に対して行うタッチペン１９操作に応じて制御信号を制御基板２４に送信する。
【００４２】
撮影側筐体３に設けられているタッチパネルディスプレイ１１は、ユーザ７の指等の接触を検知し、その位置に応じた指示信号を撮影用コンピュータ装置２３ａに送信する。このタッチパネルディスプレイ１１は、撮影用コンピュータ装置２３ａから送信された画像、具体的には、カメラ２で撮像された画像、撮影のための案内、選択肢などをユーザ７に対して表示する。
【００４３】
クロマキーキャプチャーボード２８は、カメラ２および撮影用コンピュータ装置２３ａに接続され、このクロマキーキャプチャーボード２８により、図４に示すように、カメラ２から取り込んだ画像とあらかじめＨＤＤ２６ａに記憶された背景画像とがクロマキ合成（詳細は後述）され、合成された画像が例えば毎秒３０フレームで撮影用コンピュータ装置２３ａに送られる。そして、送られた画像がＣＰＵ２５ａにより、順次、タッチパネルディスプレイ１１に表示され、その結果、タッチパネルディスプレイ１１にライブ画像が表示される。
【００４４】
タブレットディスプレイ２０は、それぞれに対応する左右のタッチペン１９Ａ、１９Ｂにおけるペン先の接触を検知し、その位置に応じた指示信号を画像編集用コンピュータ装置２３ｂに送信する。そして、画像編集用コンピュータ装置２３ｂから送信された画像、具体的には、編集画像の入力処理時にユーザ７により描画されたペン画像、選択されたスタンプ画像、フレーム画像などの編集画像を、表示している撮影画像（編集対象となる画像）の上に重ねて表示する。
【００４５】
プリンタ１６は、撮影画像と、撮影画像に対して編集処理により入力された画像とを、ＣＰＵ２５ｂが備える合成手段としての機能により合成した印刷用画像をシールシート１７に印刷する。以下の例では、プリンタ１６が印刷用画像をシールシート１７に印刷する場合を説明するが、印刷媒体はシールシート１７に限定されず、他の印刷媒体でもよい。
【００４６】
制御基板２４は、コンピュータ装置２３ａ、２３ｂの他に、ストロボ制御部２９、撮影ブース６や編集ブース２２Ａ、２２Ｂに設けられている蛍光灯３０、サービスパネル３１、印刷中ＬＥＤ３２、印刷エラーＬＥＤ３３、コイン制御部３４、カーテンユニット１８および音声制御部３５に接続され、それぞれを所定の設定に従って制御する。
【００４７】
ストロボ制御部２９は、カメラ２およびストロボ１２に接続され、カメラ２のシャッタタイミングに応じて発光するようにストロボ１２を制御する。
【００４８】
サービスパネル３１は、投入されたコインの枚数をカウントするコインカウンタ、印刷されたプリントの枚数をカウントするプリントカウンタ、撮影側スピーカ１４、編集側スピーカ２１から出力する音声のボリュームを調整する音量調整つまみ、テストモードを行うためのテストボタン、コインを投入しなくても装置が利用できるようにするためのサービスボタン等を備えるパネルであり、写真シール作成装置１が設置される店舗などの管理人が各種設定やメンテナンスの操作を行う際に用いる。サービスパネル３１は、テストボタンの操作などが行われると、その操作にしたがった制御信号を制御基板２４に対して送信したり、所定の指示信号をコンピュータ装置２３ａ、２３ｂに送信したりする。
【００４９】
なお、制御基板２４は、撮影用コンピュータ装置２３ａあるいは画像編集用コンピュータ装置２３ｂから受信した制御信号（指示コマンドなど）にしたがって、サービスパネル３１に対して制御信号を送信する。サービスパネル３１は、この制御信号に従って、コインカウンタやプリントカウンタを動作させる（たとえばカウンタを１インクリメントする）。
【００５０】
音声制御部３５は制御基板２４を介して撮影用コンピュータ装置２３ａおよび画像編集用コンピュータ装置２３ｂに接続されている。撮影用スピーカ１４は、撮影側筐体３に配備され、撮影用コンピュータ装置２３ａから制御基板２４および音声制御部３５を介して与えられる指示信号に基づいて、撮影のための操作方法などの案内やＢＧＭなどを出力する。また、編集用スピーカ２１は、編集側筐体１０に配備され、画像編集用コンピュータ装置２３ｂから制御基板２４および音声制御部３５を介して与えられる指示信号に基づいて、編集のための操作方法などの案内やＢＧＭなどを出力する。
【００５１】
コイン制御部３４は、コイン投入口１３に投入されたコインの正当性を検出し、制御基板２４にコインが投入されたことを示す検出信号を送信する。このとき、制御基板２４は、撮影用コンピュータ装置２３ａあるいは画像編集用コンピュータ装置２３ｂから受信した制御信号（指示コマンドなど）にしたがって、コイン制御部３４に対して制御信号を送信する。所定枚数のコインが投入されると、コイン制御部３４は制御信号にしたがって、新たにコインが投入されないようにコイン投入口１３をブロックする。
【００５２】
以上のような構成において、ユーザ７は、撮影ブース６内において、タッチパネルディスプレイ１１を介して背景画像を選択したうえで、撮影用椅子８を利用するなどして好みの撮影ポーズを形成して写真撮影を行う。
【００５３】
上記のようにして、撮影を行ったユーザ７は、編集ブース２２Ａまたは２２Ｂに移動し、タッチペン１９を用いて、撮影画像が表示されるタブレットディスプレイ２０に対して編集画像の入力を行う。そして、編集画像の入力が終わると、生成された印刷用画像がシールシート１７に印刷されて排出されるプリント取出口１５に移動し、出力されるシールシート１７を取得して写真シール作成装置１の利用を終了する。
【００５４】
上記の一連の処理における編集画像の入力時に、ユーザは、本発明の特徴を備えた「ぷくぷくフレーム」なる機能と、「カラーチェンジ」なる機能とを使用することができるが、まず「ぷくぷくフレーム」機能を使用する場合の説明を行う。
【００５５】
〔ぷくぷくフレーム〕
（撮影側の処理）
まず、撮影側の処理を、図５を参照しながら説明する。この撮影側の処理は、撮影用コンピュータ装置２３ａにおけるＣＰＵ２５ａがＨＤＤ２６ａに記憶された動作プログラムをメモリ２７ａに読出して実行することで実現される。
【００５６】
撮影側の処理としては、図５に示すように、はじめに、写真シール作成装置１に電源が投入されると、撮影用コンピュータ装置２３ａのＨＤＤ２６ａ、画像編集用コンピュータ装置２３ｂのＨＤＤ２６ｂに格納された動作プログラムが起動する。ＣＰＵ２５ａ、２５ｂは、各種機器が正常に接続されているかチェックし、初期化が必要な機器に対しては初期化を行う（Ｓ１１）。
【００５７】
初期化処理時に、コイン制御部３４がコイン投入口１３をロックするように作動している場合は、ＣＰＵ２５ａはロックを解除する制御信号を送出し、ロックを解除する。そしてコイン投入を可能にする（Ｓ１２）。
【００５８】
次にＣＰＵ２５ａは、写真シール作成装置１の利用を促すタイトルデモ画面を撮影ブース６におけるタッチパネルディスプレイ１１に表示し（Ｓ１３）、その間にコイン制御部３４において対価であるコインの投入を監視する（Ｓ１４）。
【００５９】
Ｓ１４において、所定の枚数のコインが、ユーザにより投入されたと判断する（Ｓ１４でＹＥＳ）と、これ以上のコインが過剰に投入されないように、コイン投入口１３をロックする（Ｓ１５）。
【００６０】
Ｓ１５において、コインロックを行うと、次に、ユーザ７からタッチパネルディスプレイ１１を介して、撮影コースの選択を受け付ける（Ｓ１６）。この撮影コースは、あらかじめ複数種類のコースが設けられているが、以下では、例として「キレイ撮りコース」または「重ね撮りコース」を選択できる場合を説明し、まず、「キレイ撮りコース」が選択された場合を説明する（Ｓ１６でＮＯ）。この「キレイ撮りコース」は、カメラ２による１回の撮影により１枚の写真画像を生成するコースであり、撮影側コンピュータ装置２３ａはこの処理を実行するための通常撮影処理手段としての機能を備える。
【００６１】
なお、「重ね撮りコース」が選択された場合（Ｓ１６でＹＥＳ）は後述する。これらのコースは、選択されるコースによって撮影方法、撮影回数、写り具合、明るさなどが異なるように設定されている。また、「重ね撮りコース」は、カメラ２により複数回の撮影を行わせ、この複数回の撮影により得られた複数の撮影画像を重ねて１枚の合成写真画像を生成するコースであり、撮影側コンピュータ装置２３ａはこの処理を実行するための重ね撮影処理手段としての機能も備える。この「重ね撮りコース」を選択することによって実施される撮影（以下、重ね撮りと記す）では、１回目に撮影した画像を、２回目の撮影時の前景や後景に設定して撮影を行ったり、前述のようにして２回目の撮影を行って生成した撮影画像を、さらに３回目の撮影時の前景や後景に設定して撮影を行ったりする（詳細は後述）。
【００６２】
Ｓ１６において、ＣＰＵ２５ａは、撮影コースの選択として「キレイ撮りコース」を受け付けると（Ｓ１６でＮＯ）、次に合成する背景画像の選択を受け付け（Ｓ１７）、Ｓ１８において、カメラ２が現在撮影している画像をライブ画像としてタッチパネルディスプレイ１１に表示する。そして、ＣＰＵ２５ａは、Ｓ１６において選択された「キレイ撮りコース」の設定に基づいて、写りや明るさを変更し、シャッタ動作を行う（Ｓ１９）。この場合、選択されている「キレイ撮りコース」は、上述のように、通常の撮影と同様、一回の撮影で一枚の写真画像を生成する撮影コースであり、このような撮影コースにおける撮影手順は既知であるので、ここでは詳細な説明は省略する。
【００６３】
そして、Ｓ１９においてシャッタ動作を行うと、どのような画像が撮影されたのかをユーザ７に示すべく、ＣＰＵ２５ａは、撮影した画像をタッチパネルディスプレイ１１に表示する（Ｓ２０）。撮影画像を所定の間だけ表示すると、Ｓ２１において、「キレイ撮りコース」として設定されている所定枚数の撮影が終了したかを判断し、撮影していないと判断すれば（Ｓ２１でＮＯ）、「もう一枚撮るよ！」などの音声案内を行うとともに、Ｓ１８〜Ｓ２０の処理を再び行う。撮影したと判断すると（Ｓ２１でＹＥＳ）、Ｓ２２において撮影制限時間が経過したかを判断する（Ｓ２２）。
【００６４】
Ｓ２２において、撮影制限時間が経過していないと判断すれば（Ｓ２２でＮＯ）、処理をＳ１６に戻し、撮影コースの選択を受け付ける。なお、この時点で撮影制限時間の残り時間が所定の残り時間よりも短い場合には、Ｓ１６において、「キレイ撮りコース」よりも撮影に時間を要する「重ね撮りコース」を選択できないようにしてもよい。
【００６５】
Ｓ２２において、撮影制限時間が経過したと判断すれば（Ｓ２２でＹＥＳ）、タッチパネルディスプレイ１１に撮影終了の画面を表示する（Ｓ２３）。そして、ＣＰＵ２５ａは、撮影ブース６において撮影した画像を所定の編集ブース２２Ａ（または２２Ｂ）に転送し（Ｓ２４）、ユーザに編集作業をさせるべく編集ブースへの案内を行い（Ｓ２５）、処理をＳ１２に戻す。
【００６６】
撮影を終えたユーザ７は撮影側の処理が終了したことになるので、撮影ブース６を出て、次の編集作業を行うべく、所定の編集ブース２２に移動し、編集作業を開始する。
【００６７】
（編集側の処理）
次に、編集側の処理を、図６〜図１５を参照しながら説明する。図６は、編集側の処理を示すフローチャート、図７は、図６における編集画像の入力処理を示すフローチャート、図８は、図７における「ぷくぷくフレーム」機能についての処理を示すフローチャート、図９〜図１５は、編集画像の入力処理時に、タブレットディスプレイ２０に表示される編集画像などの例を示す図である。
【００６８】
編集側の処理は、画像編集用コンピュータ装置２３ｂの電源が投入されると、ＨＤＤ２６ｂに記憶されたプログラムがメモリ２７ｂに自動的に展開され、ＣＰＵ２５ｂにより実行される処理である。編集側の処理を実行することにより、ユーザに対して、カメラ２で撮影された撮影画像に対する編集画像の入力を行えるようにする。
【００６９】
編集側の処理として、図６に示すように、ＣＰＵ２５ｂは、まず初期化処理を行い（Ｓ４０）、「先に撮影をしてね！」などの待機画面を表示する（Ｓ４１）。そして、撮影側から撮影画像が転送されると（Ｓ４２）、編集画像の入力処理を行う（Ｓ４３）。この編集画像の入力処理では、ユーザ７はタッチペン１９により、ペンツール、スタンプツール、フレームツールなどの好みの編集ツールを選択し、所定の編集画像を撮影画像に対して入力するが、この編集画像の入力処理については後で詳述する。
【００７０】
Ｓ４３において、編集画像の入力処理が終了すると、ＣＰＵ２５ｂは、ユーザから印刷する画像の選択を受け付け（Ｓ４４）、ユーザ７から、受け付けた印刷画像をシールシート１７に印刷する際のレイアウトの選択を受け付け（Ｓ４５）、印刷を実行して（Ｓ４６）写真シール作成装置１の利用を終了させる。
【００７１】
ここで、編集画像の入力処理について、図７〜図１５を参照しながら説明する。
【００７２】
図７に示すように、編集画像の入力処理として、ＣＰＵ２５ｂはまず最初に、編集画面５０（図９参照）をタブレットディスプレイ２０に表示する（Ｓ５１）。ここで、この編集画面５０について説明すると、この編集画面５０は、大きく左右の領域Ｌ、Ｒに分けられ、ユーザが左右に分かれて、左のユーザ７は左のタッチペン１９Ａで、右のユーザ７は右のタッチペン１９Ｂで、それぞれの撮影画像（編集対象画像）に編集画像の入力を行えるようにされている。
【００７３】
この編集画面５０には、編集作業（編集プレイ）が可能な残り時間を表示するタイマ５１、撮影画像を表示して編集画像を描画するための編集エリア５２、複数のツールを選択するための編集ツールボタン５３、各編集ツールボタン５３に対応したサンプル画像５４を表示するサンプル画像表示エリア５５、入力した編集画像上にタッチペン１９のペン先を当て、任意の軌跡を描くことで、その軌跡に合わせて前記編集画像を消去する消しゴムボタン５６、編集画像の入力工程を一つ前の段階に戻す「戻る」ボタン５７ａ、「戻る」ボタン５７ａにより戻した工程を一つ先の段階に進める「進む」ボタン５７ｂ、選択されている撮影画像（編集対象画像）に対する編集画像の入力を最初からやり直す「はじめから」ボタン５７ｃ、ペンツール選択時におけるペン画像の太さなどを変更するための太さ変更ボタン５８、編集画像の入力作業を終了する「おしまい」ボタン５９、選択されることで、サムネイル表示されている画像を編集エリア５２に表示するサムネイル表示ボタン６０などが表示されている。ちなみに、図９に示す編集画面５０は、初期設定時の画面であり、編集エリア５２には、任意の撮影画像が表示され、編集ツールとしてはペンツールが選択され、さらに、ペンツールにおけるサンプル画像５４としては、パレット表示されている複数のサンプル画像５４のうち、左上に位置するサンプル画像５４が選択されている状態とされている。
【００７４】
なお、本実施の形態においては、ＣＰＵ２５ｂが、タッチペン１９Ａおよびタッチペン１９Ｂからタブレットディスプレイ２０に対してされる入力を、所定の僅かな間隔で交互に受け付けているので、ユーザが領域Ｌ、Ｒの両方において独立かつ並行して編集画像の入力を行えるようにされている。しかしながら、以下、図７〜図１５を参照する説明においては、説明の複雑化を避けるため、領域Ｌで行われる編集作業については説明を省略し、領域Ｒで行われる編集作業についての説明をする。
【００７５】
説明を図７のフローチャートに戻して、Ｓ５１において編集画面５０を表示すると、Ｓ５２において、ＣＰＵ２５ｂは、ユーザ７によるタッチペン１９Ｂの操作により、編集ツールボタン５３における「ぷくぷくフレーム」ボタン５３ｄが選択されたかを判断する。Ｓ５２において、「ぷくぷくフレーム」ボタン５３ｄが選択されたと判断した場合（Ｓ５２でＹＥＳ）には、Ｓ５３にてぷくぷくフレームツールによる処理（詳細は後述）を行い、「ぷくぷくフレーム」ボタン５３ｄが選択されていないと判断した場合（Ｓ５２でＮＯ）には、Ｓ５４において、ユーザ７によるタッチペン１９Ｂの操作により、編集ツールボタン５３における「カラーチェンジ」ボタン５３ｅが選択されたかを判断する。
【００７６】
Ｓ５４において、「カラーチェンジ」ボタン５３ｅが選択されたと判断した場合（Ｓ５４でＹＥＳ）には、Ｓ５５にてカラーチェンジツールによる処理（詳細は後述）を行い、「カラーチェンジ」ボタン５３ｅが選択されていないと判断した場合（Ｓ５４でＮＯ）には、Ｓ５６において、ユーザ７によるタッチペン１９Ｂの操作により、その他の編集ツールボタン５３ａ〜５３ｃの何れかが選択されたかを判断する。
【００７７】
Ｓ５６において、その他の編集ツールボタン５３として、ペンツールボタン５３ａ、フレームツールボタン５３ｂ、スタンプツールボタン５３ｃの何れかが選択されたと判断した場合（Ｓ５６でＹＥＳ）には、Ｓ５７において、選択されたツールボタンに対応する編集画像の入力処理を行う。これらの処理は既に知られているので、ここでは特に説明はしない。また、Ｓ５７の処理が終了した場合には処理をＳ５２に戻すが、Ｓ５７の処理の途中において、「おしまい」ボタン５９が選択された場合には、当然に、処理は編集画像の入力処理を抜け、図６に示す編集側の処理に戻る。
【００７８】
説明を図７に戻して、Ｓ５６において、ペンツールボタン５３ａ、フレームツールボタン５３ｂ、スタンプツールボタン５３ｃの何れも選択されていないと判断した場合（Ｓ５６でＮＯ）には、Ｓ５８において、その他の機能ボタンが選択されたかを判断する。ここで、他の機能ボタンとは、消しゴムボタン５６、「戻る」ボタン５７ａ、「進む」ボタン５７ｂ、「はじめから」ボタン５７ｃ、「おしまい」ボタン５９、サムネイル表示ボタン６０などである。
【００７９】
Ｓ５８において、その他の機能ボタンが選択されたと判断すると（Ｓ５８でＹＥＳ）、Ｓ５９において選択されたボタンが「おしまい」ボタン５９であるかを判断する。選択された機能ボタンが「おしまい」ボタン５９であると判断した場合には、編集画像の入力処理を抜けて、処理を図６に示す編集側の処理に戻す。また、Ｓ５９において「おしまい」ボタン５９ではないと判断した場合（Ｓ５９でＮＯ）には、Ｓ６０において、選択された機能ボタンに対応する処理を行う。具体的には、例えば、消しゴムボタン５６が選択された場合には「消しゴム」の処理、「戻る」ボタン５７ａが選択された場合には「戻る」の処理、「進む」ボタン５７ｂが選択された場合には「進む」の処理、「はじめから」ボタン５７ｃが選択された場合には「はじめから」の処理、サムネイル表示ボタン６０が選択された場合には、サムネイル画像を編集エリア５２に表示するなどの処理を行う。Ｓ６０の処理を終えると、処理をＳ５２に戻す。なお、上記の機能ボタンに対応する処理は、既に知られているので、ここでは詳細な説明を省略する。
【００８０】
また、Ｓ５８において、その他の機能ボタンが選択されていないと判断すると（Ｓ５８でＮＯ）、Ｓ６１において、編集作業の制限時間が経過したかを判断し、経過したと判断した場合（Ｓ６１でＹＥＳ）には、編集画像の入力処理を抜けて、処理を図６に示す編集側の処理に戻す。Ｓ６１において、編集作業の制限時間が経過していないと判断した場合（Ｓ６１でＮＯ）には、処理をＳ５２に戻す。
【００８１】
ここで、ぷくぷくフレームツールによる処理を、図８を参照しながら説明する。この「ぷくぷくフレーム」機能は、例えば図１０に示すように、あらかじめ、パタン情報１〜パタン情報３（詳細は後述）に対応したパタン画像としてのフレーム画像をＨＤＤ２６ｂに記憶させた状態で（本実施の形態では３種類）、ユーザに、サンプル画像を選択させ、タッチペン１９Ｂによる操作によりパタン情報を設定させることで、その設定されたパタン情報に対応するフレーム画像を、編集エリア５２上に描画する機能である。このパタン情報とは、パタン画像、すなわち「ぷくぷくフレーム」機能で使用できるフレーム画像に与えられる情報であり、あらかじめＨＤＤ２６ｂに記憶された複数種類のフレーム画像の中から、選択中のサンプル画像５４についての所定のフレーム画像を特定するための情報である。また、この「ぷくぷくフレーム」機能で使用できるフレーム画像は、図１０に示すように、フレーム画像を構成する最小単位の図柄である模様画像７５から構成されており、それぞれのパタン情報に対応する画像は、ＣＰＵ２５ｂが備える調整手段としての機能により、模様画像７５の分布および／または密度が異なるようにされている。なお、この調整手段による分布および／または密度の調整は、ＣＰＵ２５ｂが任意に調整してもよいし、あらかじめ調整後の画像をＨＤＤ２６ｂに記憶させておき、それらを順に画面に描画させるようにしてもよい。本実施の形態では、後者の場合を説明する。
【００８２】
図７に示したＳ５２において「ぷくぷくフレーム」ボタン５３ｄが選択されたと判断すると、ＣＰＵ２５ｂは、図８に示すように、Ｓ７１として、「ぷくぷくフレーム」におけるパレット情報を初期化する。このパレット情報は、例えば「現在選択されているサンプル画像がどれであるか」という情報、およびそのサンプル画像についてのパタン情報を有する。パレット情報を初期化すると、Ｓ７２として、図１１に示すように、編集画面５０の表示を切り替える。すなわち、領域Ｒに対するユーザにより「ぷくぷくフレーム」ボタン５３ｄが選択されたことを示すべく、この「ぷくぷくフレーム」ボタン５３ｄにカーソルを表示し、また、ぷくぷくフレーム機能に対応したサンプル画像５４をサンプル画像表示エリア５５に表示する。ちなみに、上記の初期化処理によって、初期状態で選択されているサンプル画像５４は、左上に表示されているサンプル画像とされ、さらに、このサンプル画像５４に対応するパタン情報は「１」に設定されている。
【００８３】
Ｓ７２において編集画面５０の表示を変えると、Ｓ７３において、ＣＰＵ２５ｂは、他のタグ６１（図１１参照）が選択されたかを判断する。Ｓ７３において、他のタグ６１が選択されたと判断すると、そのタグ６１に対応するサンプル画像５４をサンプル画像表示エリア５５に表示する（図示は省略）とともに、そのタグにおけるパレット情報を初期化する（Ｓ７４）。また、Ｓ７３において、他のタグ６１が選択されていないと判断（Ｓ７３でＮＯ）すると、Ｓ７５において、初期状態で設定されているサンプル画像５４（または既に選択されているサンプル画像）から他のサンプル画像（例えば、図１１中の５４ａ）に変更されたか、すなわち他のサンプル画像５４ａが選択されたかを判断する。他のサンプル画像５４ａが選択されたと判断した場合（Ｓ７５でＹＥＳ）には、そのサンプル画像５４ａについてのパタン情報を「１」に設定する（Ｓ７６）。また、他のサンプル画像５４ａが選択されていないと判断した場合（Ｓ７５でＮＯ）には、処理をＳ７７に進める。
【００８４】
Ｓ７７では、ＣＰＵ２５ｂは、ユーザによるタッチペン１９Ｂの操作により編集エリア５２が選択（タッチ）されたかを判断する。Ｓ７７において、編集エリア５２が選択されたと判断すると（Ｓ７７でＹＥＳ）、Ｓ７８において、ＣＰＵ２５ｂは、パタン情報に対応するフレーム画像を編集エリア５２に描画する。ここで、パタン情報１に対応するフレーム画像が描画された編集エリア５２の例を、図１２（ａ）に示す。なお、Ｓ７７において、編集エリア５２が選択されていないと判断した（Ｓ７７でＮＯ）場合については後述する。
【００８５】
Ｓ７８において、パタン情報に対応するフレーム画像を編集エリア５２に描画すると、次に、現在選択されているサンプル画像５４のパタン情報が「３」であるかを判断する（Ｓ７９）。上記の場合、パタン情報は「１」であるので、ここでは処理をＳ８０に進め、パタン情報を１増やす。すなわちパタン情報を「２」に設定する。そして、処理をＳ７３に戻す。
【００８６】
Ｓ７３において、サンプル画像５４は既に選択された状態であり、さらに、そのパタン情報は「２」である。ここでユーザが新たに他のタグ６１を選択した場合（Ｓ７３でＹＥＳ）には、処理を７４に進め、上述のようにＳ７４以降の処理を行う。また、ユーザが他のタグ６１を選択しなかった場合（Ｓ７３でＮＯ）や、他のサンプル画像５４ａを選択しなかった場合（Ｓ７５でＮＯ）には、そのままの状態、すなわち選択されているサンプル画像５４のパタン情報が「２」の状態で、Ｓ７７以降の処理が行われる。Ｓ７７において、編集エリア５２が選択されたと判断すると（Ｓ７７でＹＥＳ）、ＣＰＵ２５ｂは、Ｓ７８において、図１２（ｂ）に示すような、パタン情報２に対応するフレーム画像を編集エリア５２に表示する。なお、図１２（ｂ）に示す表示例は、図１２（ａ）に示す表示例に対して、図１０（ａ）におけるパタン情報２に対応するフレーム画像が重ねて表示された状態、すなわち編集エリア５２に、パタン情報１に対応するフレーム画像およびパタン情報２に対応するフレーム画像が表示された状態を示している。また、図１２（ｂ）における斜め方向のハッチングは、説明の都合上、パタン情報１に対応するフレーム画像に対して施したものであり、実際の編集エリア５２には表示されない。
【００８７】
そして、説明を図８に戻して、上記と同様にＳ７９、Ｓ８０、Ｓ７３〜Ｓ７７の処理を繰り返し、サンプル画像５４のパタン情報が「３」に設定された状態でＳ７８に進むと、図１２（ｃ）に示すように、パタン情報３に対応するフレーム画像を編集エリア５２に表示する。なお、図１２（ｃ）に示す表示例は、図１２（ｂ）に示す表示例に対して、図１０（ａ）におけるパタン情報３に対応するフレーム画像が重ねて表示された状態、すなわち編集エリア５２に、パタン情報１に対応するフレーム画像、パタン情報２に対応するフレーム画像およびパタン情報３に対応するフレーム画像が表示された状態を示している。また、図１２（ｃ）における斜め方向のハッチングは、説明の都合上、パタン情報１に対応するフレーム画像に対して施したものであり、横方向のハッチングは、パタン情報２に対応するフレーム画像に対して施したものであり、これらのハッチングは、ともに実際の編集エリア５２には表示されない。
【００８８】
そして、説明を図８に戻して、Ｓ７９において、パタン情報が「３」であると判断される（Ｓ７９でＹＥＳ）ので、このサンプル画像５４のパタン情報を「１」に戻し（Ｓ８１）、処理をＳ７３に戻す。
【００８９】
このような処理をすることで、ユーザ７が「ぷくぷくフレーム」ボタン５３ｄを選択し、所定のサンプル画像５４を選択したうえで編集エリア５２をタッチペン１９でタッチするたびに、図１２（ａ）〜図１２（ｃ）に示すようにフレーム画像が順に、編集エリア５２上に表示される。
【００９０】
上記のように、フレーム画像は、ＣＰＵ２５ｂが備える調整手段としての機能により、模様画像７５の分布および／または密度が調整されるので、例えば従来では、一度の操作で入力していた編集画像を、数回に分けて徐々に入力することができ、ユーザに対して驚きを与えることができる。また、ユーザ７は、所定のタイミングでタブレットディスプレイ２０に対してタッチ等の入力を行うことで、このタブレットディスプレイ２０に対してパタン情報を入力することができ、ＣＰＵ２５ｂは、この入力に基づいてパタン情報を取得し、取得したパタン情報に対応するパタン画像を特定し、特定したパタン画像を編集エリア５２における所定の位置に表示するので、ユーザは、所望のフレーム画像を、自分自身のペースで選択することができ、思い通りの編集を容易に行うことができる。また、特定されたフレーム画像は、所定の位置に表示されるので、初めて使用するユーザや操作に不慣れなユーザであっても、フレーム画像の表示位置に違いが出ないため、上記のようなユーザであっても、フレーム画像の入力を上手く行うことができ、貴重な編集時間を効率的に使用することができる。さらに、特定された画像は、上述のように所定の位置に表示されるので、例えば、表示される前に編集画像の図柄や色が変化する場合に比べて、撮影画像に対する大きさや色合いなどのバランスを容易に確認することができ、所望しない編集画像が入力されることを抑制することができる。
【００９１】
説明を図８に戻して、上記のＳ７７において、編集エリア５２が選択されていないと判断した場合（Ｓ７７でＮＯ）には、Ｓ８２において、パレット以外の箇所のボタン、すなわち他の編集ツールボタン５３や機能ボタンが選択されたかを判断し、選択されたと判断した場合（Ｓ８２でＹＥＳ）には、ぷくぷくフレーム処理を抜け、処理を図７におけるＳ５８に戻す。
【００９２】
Ｓ８２において、パレット以外の箇所のボタンが選択されていないと判断した場合（Ｓ８２でＮＯ）には、処理をＳ７３に戻す。なお、図８には示していないが、このぷくぷくフレーム処理の途中においても、編集制限時間が経過していないかは常に監視されており、編集制限時間が経過したと判断した場合には、当然に、編集画像の入力処理は終了される。
【００９３】
以上が、「ぷくぷくフレーム」機能により編集画像の入力をする場合の説明であるが、上記の説明において、例えば図１１では、サンプル画像５４としてパタン情報「１」に対応する画像のみが示されているが、これに限らず、例えば図１３（ａ）に示すように、全てのパタン情報に対応するサンプル画像を一括して表示しても良いし、図１３（ｂ）に示すように、パタン情報１〜３に対応するフレーム画像を重ねて表示した画像のみを表示するようにしてもよい。
【００９４】
また、上記のパタン情報１〜パタン情報３に対応するパタン画像としては、図１０に示した場合のように、パタン情報が１から３に進むにつれて、図柄が表示されていない空白の部分（非描画領域）に図柄が詰められるようにしても良いし、図１４（ａ）に示すように、パタン情報が１から３に変化するのに伴って、全く異なる画像が表示されるようにしても良い。また、この場合は、パタン情報１に対応する画像にパタン情報２に対応する画像が重ねられる場合でもよいし、パタン情報１に対応する画像とパタン情報２に対応する画像とが切り替えられる場合であってもよい（なお、パタン情報３に対応する画像も同様である）。
【００９５】
さらに、図１４（ｂ）に示すように、パタン情報が１から３に進むにつれて、配置されるフレーム画像が、編集エリア５２の外側から内側に配置されるようにしてもよい（図中の破線は、Ａがパタン情報１に対応するフレーム画像が描画される領域の境界、Ｂがパタン情報２に対応するフレーム画像が描画される領域の境界、Ｃがパタン情報３に対応するフレーム画像が描画される領域の境界を示しており、実際の編集エリア５２には表示されない）。
【００９６】
このようにすることで、例えば図１４（ｂ）に示すように、ユーザ７が全身撮影を行って、撮影画像の周縁部とユーザ７との間に大きな隙間が生じる場合であっても、ぷくぷくフレーム機能により表示されるフレーム画像が、パタン情報の変化により徐々に写真の中央部側に描画されることで、上記のような隙間にフレーム画像を詰めるようにして描画することができ、前記隙間が目立たない、仕上がり具合の良好な写真を作成することができる。またこの場合、図１４（ｃ）に示すように、ユーザがアップ撮影を行った際に、パタン情報１に対応するフレーム画像を表示しただけでは、前述した隙間は完全に詰められずフレーム画像が表示される領域としては不十分であり、逆に、パタン情報３に対応するフレーム画像までを表示してしまうと、表示されるフレーム画像がユーザの顔に重なってしまい、好適な仕上がりとはならない。したがって、このような場合には、表示させるフレーム画像を、パタン情報２に対応するフレーム画像にとどめることで、前述した隙間の問題も解消され、かつ、フレーム画像がユーザの顔に重なることを防止することができ、仕上がり具合の良好な写真を得ることができる。
【００９７】
また、上記では、ぷくぷくフレーム機能についてのみ説明しているが、図１５に示すように、ぷくぷくフレームだけでなく、「ぷくぷくスタンプ」なる機能を設けて、ぷくぷくフレーム同様、パタン情報に対応するスタンプ画像をあらかじめ用意しておき、ユーザが指定したパタン情報に対応するスタンプ画像を、編集エリア５２に描画するようにしてもよい。なお、ぷくぷくスタンプを実施する際の処理は、ぷくぷくフレームの場合と同様であるので、詳細な説明は省略する。
【００９８】
また、上記の場合には、パタン情報の入力動作（タブレットディスプレイ２０へのタッチ動作）に基づいて、表示するパタン画像を変更させている場合を説明しているが、これに限らず、例えば、ユーザ７がタッチペン１９をタブレットディスプレイ２０に接触させている間、パタン画像が順に切り替わって表示されるようにしても良い。さらに、このように、ユーザ７がタッチペン１９をタブレットディスプレイ２０に接触させている間、パタン画像の分布および／または密度が連続的に変化するような表示にしてもよい。
【００９９】
なお、上記の例では、図１２に示すように、パタン情報１に対応するフレーム画像の上にパタン情報２に対応するフレーム画像、パタン情報２に対応するフレーム画像の上にパタン情報３に対応するフレーム画像を重ねて表示するようにしているが、これに限らず、パタン情報２に対応するフレーム画像を編集エリア５２に表示する際には、パタン情報１に対応するフレーム画像に代えて、パタン情報２に対応するフレーム画像を描画してもよい（パタン情報３に対応するフレーム画像の場合も同様）。
【０１００】
さらに、パタン情報１〜３に対応するフレーム画像が経時的な変化を示すような画像、例えばパタン情報１〜３に対応するフレーム画像が画面の上側から徐々に雪が降ってくるような画像であってもよい。すなわち、上記の「ぷくぷくフレーム」機能は、ユーザが設定するパタン情報に対応して編集エリア５２に表示されるフレーム画像を異ならせて表示させる機能である。
【０１０１】
次に、編集画像の入力時に、ユーザが「カラーチェンジ」なる機能を使用する場合の説明を、図１６〜図２８を参照して行う。
【０１０２】
〔カラーチェンジ〕
カラーチェンジツールによる機能は、「重ね撮りコース」により撮影された重ね撮影画像に対して、例えば、一番前景に設定されたユーザの画像（人物画像）の色調はそのままにして、それ以外の人物画像の色調を変更する機能である。したがって、ここではまず、図５におけるＳ２６の「重ね撮り」について説明する。
【０１０３】
「重ね撮り」の処理としては、まず、図１６に示すように、Ｓ２６１として、重ね撮影の回数を０回に設定し、次に、Ｓ２６２で明るさ選択、Ｓ２６３で背景画像の選択を受け付ける。そして、Ｓ２６４として、ＣＰＵ２５ａは、図４に示すように、クロマキーキャプチャーボード２８により、カメラ２から取り込んだ画像とＳ２６３で選択された背景画像とをクロマキ合成処理する。詳細には、撮影ブース６におけるユーザ７の背景として、上述のように緑一色の背景カーテン１８ａが展開されており、クロマキ合成処理として、カメラ２から取り込んだ画像における緑色の部分（人物画像以外の領域）と緑色以外の部分（人物画像領域）とを分けるマスクを用いて、前記緑色の部分にＳ２６３で選択された背景画像を合成する。これにより、Ｓ２６３で選択された背景画像がユーザの背景となった撮影画像が生成される。
【０１０４】
そして、Ｓ２６５において、図１７に示すように、タッチパネルディスプレイ１１にライブ画像を表示するとともに、Ｓ２６６において、重ね撮りの見本画像６２をタッチパネルディスプレイ１１に表示し、Ｓ２６７にてシャッタ動作を行ってユーザを撮影する。なお、本実施の形態では、「重ね撮り」撮影として合計３回の撮影を行うものとし、図１７に示すように、タッチパネルディスプレイ１１の右上には、全ｓｈｏｔ数のうち現在は何ｓｈｏｔ目なのかが表示される。
【０１０５】
そして、シャッタ動作を行うと、Ｓ２６８において、重ね撮影回数を１回加算し、次に、重ね撮影回数が３回かを判断する（Ｓ２６９）。この段階では、重ね撮影回数は１回であるので処理をＳ２７０に進め、重ね撮影回数が２回であるかを判断する（Ｓ２７０）。この段階では、重ね撮影回数は１回であるので、処理をＳ２７１に進める。
【０１０６】
Ｓ２７１においては、図１８（ａ）、図１９（ａ）に示すような重ね設定画面を表示する。詳細には、例えば、まず図１８（ａ）に示すように、１回目に撮影した画像（以下、１回目の撮影画像と記す）における人物画像Ｓ１を前景、ライブ画像を人物画像Ｓ１の後景とした状態、すなわち奥側に重ねた状態で、タッチパネルディスプレイ１１に表示する。このとき、１回目の撮影画像とライブ画像とのレイヤ関係は、図１８（ｂ）に示すように、ライブ画像の上に１回目の撮影画像が重ねられた状態とされている。この前景とされている１回目の撮影画像は、ＣＰＵ２５ａが備える特定手段としての機能により、画像のクロマキ合成時のマスクを用いて、被写体である人物画像Ｓ１のみが非透明表示（見える（表示）状態）にされ、背景画像（人物画像以外の領域）が透明表示（見えない（非表示）状態）にされてライブ画像上に重ねられており、後景とされるライブ画像としては、カメラ２から取り込んだ画像と背景画像６８とがクロマキ合成されたものが表示されている。したがって、タッチパネルディスプレイ１１には、図１８（ａ）に示すように、ライブ画像上に人物画像Ｓ１が重ねられ、かつ、それらの画像の背後に背景画像６８が表示された状態とされている。
【０１０７】
ここで、ユーザが、図１８（ａ）における「前に重ねる」ボタン、すなわちライブ画像を前景として重ねるための前景ボタン６３Ａを選択すると、タッチパネルディスプレイ１１の表示は、図１９（ａ）に示すような表示に切り替えられる。すなわち、ライブ画像における人物部分が前景、１回目の撮影画像全体が後景として表示される。このとき、ライブ画像と１回目の撮影画像とのレイヤ関係は、図１９（ｂ）に示すようになっている。すなわち、１回目の撮影画像上にライブ画像が重ねられた状態とされており、前景とされているライブ画像は、画像のクロマキ合成時に用いたマスクにより、人物画像のみが非透明表示（見える状態）にされ、背景画像（人物画像以外の領域）が透明表示（見えない状態）にされて１回目の撮影画像上に重ねられており、後景とされる１回目の撮影画像としては、カメラ２から取り込んだ画像と背景画像６８とがクロマキ合成されたものが表示されている。このため、タッチパネルディスプレイ１１には、図１９（ａ）に示すように、１回目の撮影画像上にライブ画像における人物画像部分が重ねられ、かつ、それらの画像の背後に背景画像６８が表示された状態とされている。ここで、ユーザ７が「後に重ねる」ボタン、すなわちライブ画像を後景として重ねるための後景ボタン６３Ｂを選択すると、タッチパネルディスプレイ１１の表示は、再び、図１８（ａ）に示すような、ライブ画像が後景、１回目の撮影画像における人物画像Ｓ１が前景とされた表示に切り替えられる。
【０１０８】
このような状態で、ＣＰＵ２５ａは、Ｓ２７２において、ユーザ７から、ライブ画像を１回目の撮影画像に対して前景にするのか、後景にするのかの選択を受け付ける。なお、ここでは、図１８（ａ）に示すように、ライブ画像を１回目の撮影画像の後景とする選択がユーザ７からされたものとする。
【０１０９】
Ｓ２７２において、重ね設定を受け付けると、処理をＳ２６７に戻し、図１８（ａ）に示した状態で、すなわち１回目の撮影画像における人物画像部分を前景とした状態でシャッタ動作を行う。次に、上述したようなＳ２６８、Ｓ２６９、Ｓ２７０の処理を行うが、Ｓ２７０においては撮影回数が２回であるので、処理をＳ２７３に進める。Ｓ２７３において、重ね撮影を終了するかどうかをユーザに選択させる。本実施の形態では上述のように３回の撮影を行うので処理をＳ２７１に進める。
【０１１０】
Ｓ２７１においては、図２０（ａ）、図２１（ａ）に示すような重ね設定画面を表示する。詳細には、例えば、まず図２０（ａ）に示すように、１回目の撮影画像における人物画像Ｓ１および２回目の撮影画像における人物画像Ｓ２を、ライブ画像よりも前景とした状態で、タッチパネルディスプレイ１１に表示する。このとき、ライブ画像と、１回目の撮影画像および２回目の撮影画像とのレイヤ関係は、図２０（ｂ）に示すように、ライブ画像の上に、２回目の撮影画像が重ねられ、さらにその上に１回目の撮影画像が重ねられた状態とされている。１回目の撮影画像および２回目の撮影画像は、画像のクロマキ合成時に用いたマスクにより、人物画像Ｓ１およびＳ２のみが非透明表示（見える状態）にされ、背景画像（人物画像以外の領域）が透明表示（見えない状態）にされて重ねられており、ライブ画像としては、カメラ２から取り込んだ画像と背景画像６８とがクロマキ合成されたものが表示されている。したがって、タッチパネルディスプレイ１１には、図２０（ａ）に示すように、ライブ画像上に２回目の撮影画像における人物画像Ｓ２、さらにその上に１回目の撮影画像における人物画像Ｓ１が重ねられ、かつ、それらの画像の背後に背景画像６８が表示された状態とされている。
【０１１１】
ここで、ユーザが、図２０（ａ）における前景ボタン６３Ａを選択すると、タッチパネルディスプレイ１１の表示は、図２１（ａ）に示すような表示に切り替えられる。すなわち、ライブ画像における人物画像部分が一番上に、その下に１回目の撮影画像における人物画像Ｓ１、さらにその下に２回目の撮影画像が表示される。このとき、ライブ画像と、１回目の撮影画像および２回目の撮影画像とのレイヤ関係は、図２１（ｂ）に示すようになっている。すなわち、２回目の撮影画像上に１回目の撮影画像が重ねられ、さらにその上にライブ画像が重ねられた状態とされており、最も上に重ねられたライブ画像は、画像のクロマキ合成時に用いたマスクにより、人物画像のみが非透明表示（見える状態）にされ、背景画像（人物画像以外の領域）が透明表示（見えない状態）にされて１回目の撮影画像上に重ねられており、１回目の撮影画像としては、画像のクロマキ合成時に用いたマスクにより、人物画像Ｓ１のみが非透明表示（見える状態）にされ、背景画像（人物画像以外の領域）が透明表示（見えない状態）にされて２回目の撮影画像上に重ねられている。２回目の撮影画像としては、カメラ２から取り込んだ画像と背景画像６８とがクロマキ合成されたものが表示されている。このため、タッチパネルディスプレイ１１には、図２１（ａ）に示すように、２回目の撮影画像上に１回目の撮影画像における人物画像Ｓ１およびライブ画像における人物画像部分がこの順で重ねられ、かつ、それらの画像の背後に背景画像６８が表示された状態とされている。また、この状態で、ユーザ７が後景ボタン６３Ｂを選択すると、タッチパネルディスプレイ１１の表示は、再び、図２０（ａ）に示すような表示に切り替えられる。
【０１１２】
このような状態で、ＣＰＵ２５ａは、Ｓ２７２において、ユーザ７から、ライブ画像を前に重ねるのか、後ろに重ねるのかの選択を受け付ける。なお、ここでは、図２０（ａ）に示すように、ライブ画像を後ろに重ねる選択がユーザ７からされたものとする。
【０１１３】
Ｓ２７２において、重ね設定を受け付けると、処理をＳ２６７に戻し、図２０（ａ）に示した状態で、すなわち１回目および２回目の撮影画像における人物画像Ｓ１およびＳ２の後ろにライブ画像を重ねた状態でシャッタ動作を行う。次に、上述したようなＳ２６８、Ｓ２６９の処理を行うが、Ｓ２６９においては撮影回数が３回であるので、処理をＳ２７４に進める。
【０１１４】
Ｓ２７４においては、画像レイヤの統合処理が行われる。このとき、ＣＰＵ２５ａは、編集画像の入力時において前景とする前景画像と、前景とする画像以外の領域から設定される画像、すなわち後景画像とを設定する。詳細には、図２２（ａ）に示すように、画像レイヤの統合処理がされない状態で、「重ね撮り」撮影した画像のデータが、撮影用コンピュータ装置２３ａから画像編集用コンピュータ装置２３ｂに転送されると、画像編集用コンピュータ装置２３ｂにおいては、例えば上から、タブレットディスプレイ２０に押圧されたペン先の移動を検知する移動レイヤ７０Ａ、ペン画像用のレイヤ７０Ｂ、スタンプ画像用のレイヤ７０Ｃ、フレーム画像用のレイヤ７０Ｄ、第１の人物レイヤ（ここでは人物画像Ｓ１）７０Ｅ、第２の人物レイヤ（ここでは人物画像Ｓ２）７０Ｆ、第３の人物レイヤ（ここでは人物画像Ｓ３）７０Ｇ、人物と背景との間にスタンプ画像を配置するためのいわゆる背面スタンプ画像用のレイヤ７０Ｈ、３回目の撮影画像における背景画像用のレイヤ７０Ｉの、少なくとも９層のレイヤが必要となるが、Ｓ２７４において、画像レイヤの統合処理を行うことで、図２２（ｂ）に示すように、図２２（ａ）における第２の人物レイヤ７０Ｆと第３の人物レイヤ７０Ｇとを後景画像６９のレイヤ７０Ｊとして１つのレイヤに統合し、３回目の撮影画像における背景画像用のレイヤ７０Ｉを、後景画像６９の背景画像用のレイヤ７０Ｋとすることで、少なくとも必要なレイヤの数を８層に減少させることができ、その分、画像編集用コンピュータ装置２３ｂにおける処理が重くなることを防止することができる。なお、背面スタンプ機能とは、人物画像と背景画像との間にスタンプ画像を配置する機能である。
【０１１５】
また、このように、各画像レイヤの統合処理をすることで、図２３に示すように、ＣＰＵ２５ａは、１回目の撮影画像における人物画像Ｓ１を前景画像６６とし、その他の人物画像のレイヤ、ここでは２回目の撮影画像における人物画像Ｓ２と３回目の撮影画像における人物画像Ｓ３とを一層のレイヤに合成した画像を後景画像６９として設定する。
【０１１６】
なお、上述のように、画像レイヤの統合処理は、画像編集用コンピュータ装置２３ｂの処理が重くなることを避けるために行う処理であることから、画像編集用コンピュータ装置２３ｂの処理性能を向上させれば特に必要な処理ではなく、また、画像編集用コンピュータ装置２３ｂ側で行ってもよい。さらに、画像レイヤを統合しない状態で、すなわち、前景画像６６と後景画像６９とを設定しない状態で撮影画像のデータを画像編集用コンピュータ装置２３ｂに転送することで、画像編集用コンピュータ装置２３ｂにおける編集側の処理時において、どの画像を前景とするのかをユーザに選択させるようにすることができ、ユーザに対してより満足度の高い編集操作を提供することもできる。
【０１１７】
Ｓ２７４の処理を終えると、重ね撮り撮影の処理を抜け、処理を図５のＳ２２に進める。なお、Ｓ２７３において、ユーザから重ね撮影を終了することが選択された場合（Ｓ２７３でＹＥＳ）にも、同様にＳ２７４の処理を行い、重ね撮り撮影の処理を抜け、処理を図５のＳ２２に進める。なお、Ｓ２２以降の処理は既に上述しているのでここでは説明を省略する。
【０１１８】
次に、撮影が終了すると、図６に示す編集側の処理を進めるが、ここで、図７の編集画像の入力処理におけるＳ５５に示した「カラーチェンジ」処理について、図２４〜図２８を参照しながら説明する。図２４は、図７のＳ５５における「カラーチェンジ」処理を示すフローチャート、図２５は、カラーチェンジ処理において表示される編集画面５０の例を示す図である。
【０１１９】
カラーチェンジ処理は、まず、図７におけるＳ５４において「カラーチェンジ」ボタン５３ｅが選択されたと判断（Ｓ５４でＹＥＳ）すると、図２５に示すように、パレットの表示をカラーチェンジ用のパレット表示に切り替える（図２４におけるＳ５５１）。すなわち、「カラーチェンジ」機能によって編集対象画像をどのように編集できるのかをユーザに説明するための見本画像６４を表示するとともに、ユーザがどのような色調にカラーチェンジをするのかを選択させる選択手段としての色調選択ボタン６５をユーザに対して表示する。なお、ここで表示される見本画像６４は、あらかじめＨＤＤ２６ｂに記憶させておいた画像やアニメーションなどであってもよい。また、このような見本画像６４は、パレット上に限らず、編集画面５０上におけるユーザが見やすい適宜の位置に表示してもよい。
【０１２０】
説明を図２４に戻し、Ｓ５５１において、色調選択ボタン６５を表示すると、Ｓ５５２において、色調選択ボタン６５が選択されたかを判断する。
【０１２１】
Ｓ５５２において、色調選択ボタン６５が選択されたと判断した場合（Ｓ５５２でＹＥＳ）には、ＣＰＵ２５ｂは、選択された色調に基づいて、図１６におけるＳ２７４で決定した後景画像６９に対して色調の変更処理を行う（Ｓ５５３）。このとき、ＣＰＵ２５ｂは、自身が備える識別手段としての機能により、画像が合成写真画像か否かを判断しており、本実施の形態の場合は、合成写真画像であるので、Ｓ５５３において色調変更処理を行う。
【０１２２】
色調の変更は、例えば、あらかじめ、モノクロ、セピア、ピンク、ブルーのそれぞれの色調に対応するように設定されたトーンカーブを読み込むことによって実現される。詳細には、例えば図２６に示すように、三原色Ｒ（Ｒｅｄ）、Ｇ（Ｇｒｅｅｎ）、Ｂ（Ｂｌｕｅ）のそれぞれに出力特性の異なる複数種類のトーンカーブ（実線、破線、一点鎖線など）があらかじめ設定されており、カメラ２で撮影された元の撮影画像の三原色Ｒ、Ｇ、Ｂの色信号を入力値とし、トーンカーブに基づく線形変換後の値、すなわち入力値とは異なる色レベルの色信号を出力値として、例えば、モノクロが選択されたなら、モノクロに対応するように設定されたＲ、Ｇ、Ｂそれぞれのトーンカーブを読み出すことで、後景画像６９の色調を、モノクロの色調に変更する。なお、色調変更手段により、撮影画像に対して入力される編集画像の色調は変更されない。これにより、ユーザが選択した編集画像の色調が思わぬ色調に変更されることを防止して、ユーザの利用満足度をさらに向上させることができる。
【０１２３】
ここで、カラーチェンジツールの機能により、後景画像６９の色調が変更されたものの例を、図２７に示す。図２７に示すように、後景画像６９、ここでは、２回目の撮影画像における人物画像Ｓ２と３回目の撮影画像における人物画像Ｓ３との合成画像の色調が変更されることで、前景画像６６とされている１回目の撮影画像における人物画像Ｓ１を、後景画像６９と比べて引き立たせる、すなわち、ポスターのように前景画像６６を後景画像６９に対して目立たせたり、前景画像６６と後景画像６９とにおいて遠近感を強調したりすることができる。このように、重ね撮影した画像に対して新たな演出を加えることができるとともに、ユーザに対して、より個性的な編集操作ができるようにすることができる。以上のようにして後景画像６９の色調が変更されると、次に、処理をＳ５５２に戻す。
【０１２４】
Ｓ５５２において、色調選択ボタン６５が選択されていないと判断した場合（Ｓ５５２でＮＯ）には、処理をＳ５５４に進める。Ｓ５５４において、図２５に示す「もとに戻る」ボタン６７が選択されたかを判断する。この「もとに戻る」ボタン６７は、後景画像６９に対して色調の変更処理が行われている場合に、この色調変更された画像を、色調変更がされる前の状態に戻すためのボタンである。これにより、ユーザは、後景画像６９の色調を例えば４種類すべての色調に変更してみて、やはり色調変更しないほうが良いと感じたり、色調変更前の画像を確認したい場合に、「戻る」ボタン５７ａを複数回選択しなくても、「もとに戻る」ボタン６７を一度選択するだけで、後景画像６９の色調を、変更前の状態に戻すことができる。
【０１２５】
Ｓ５５４において、「もとに戻る」ボタン６７が選択されたと判断すると（Ｓ５５４でＹＥＳ）、Ｓ５５５において、（後景画像６９の色調が変更されている場合には）後景画像６９の色調を、変更前の状態に戻す。なお、色調が変更されていない場合には、表示される画面上に変化はない。
【０１２６】
また、Ｓ５５４において、「もとに戻る」ボタン６７が選択されていないと判断すると（Ｓ５５４でＮＯ）、Ｓ５５６において、パレット以外の箇所のボタン、すなわち他の編集ツールボタン５３や機能ボタンが選択されたかを判断し、選択されたと判断した場合（Ｓ５５６でＹＥＳ）には、カラーチェンジ処理を抜け、処理を図７におけるＳ５８に戻す。また、パレット以外の箇所のボタンが選択されていないと判断した場合（Ｓ５５６でＮＯ）には、処理をＳ５５２に戻す。なお、図２４には示していないが、このカラーチェンジ処理の途中においても、編集制限時間が経過していないかは常に監視されており、編集制限時間が経過したと判断した場合には、当然に、編集画像の入力処理は終了される。
【０１２７】
編集画像の入力処理を終えると、処理を図６に示すＳ４４に進め、印刷する画像を確定し、ユーザ７から、確定した印刷画像をシールシート１７に印刷する際のレイアウトの選択を受け付け（Ｓ４５）、印刷を実行して（Ｓ４６）写真シール作成装置１の利用を終了させる。
【０１２８】
なお、上記においては、人物画像Ｓ２と人物画像Ｓ３とを一層のレイヤに合成したものを後景画像６９としているが、これに限らず、例えば図２８（ａ）に示すように、一番上の人物画像Ｓ１を前景画像６６とし、それ以外の人物画像Ｓ２、Ｓ３のレイヤを統合せずに後景画像６９とし、人物画像Ｓ２、人物画像Ｓ３のそれぞれに異なる色調変更処理を施して、人物画像Ｓ１、人物画像Ｓ２、人物画像Ｓ３のそれぞれが異なる色調になるようにしてもよい。
【０１２９】
また、上記においては、人物画像Ｓ２および人物画像Ｓ３に対して色調の変更ができる場合を説明しているが、これに限らず、例えば図２８（ｂ）に示すように、人物画像Ｓ２、Ｓ３に加えて背景画像６８に対しても、すなわち人物画像Ｓ１よりも下のレイヤとなる全ての画像に対して色調の変更をしてもよい。
【０１３０】
また、上記においては、重ね撮影により撮影した画像に対してカラーチェンジ処理ができる場合を説明したが、これに限らず、例えば図２８（ｃ）に示すように、重ね撮影しなかった撮影画像（上記の例ではキレイ撮りコースによる撮影画像）に対しても、人物画像Ｓ１を前景画像６６、背景画像６８を後景画像６９とすることで、この後景画像６９に対してカラーチェンジ処理を施すようにしてもよい。さらに、図示は省略するが、前記重ね撮影しなかった撮影画像に対しては、写真画像全体にカラーチェンジ処理を施してもよいし、逆に、カラーチェンジ処理を施さないようにすることもできる。
【０１３１】
また、上記においては、前景画像６６に対して後景画像６９の色調を変更した場合の説明をしたが、これに限らず、前景画像６６の色調を変更して、重ね撮影画像に対して新たな演出を加えてもよい。
【０１３２】
また、上記においては、色調の変更処理時に読み込まれるトーンカーブの色調は、あらかじめ設定されている場合を説明しているが、これに限らず、編集画面５０上に、「濃くする」、「薄くする」などの調整ボタンを表示して、ユーザに、色調変更後の濃淡に関する微調整をさせるようにしてもよい。
【０１３３】
さらに、上記においては、後景画像６９となる人物画像に対してトーンカーブを読み込むことで色調の変更を行っているが、これに限らず、例えば、図示は省略するが、人物画像Ｓ２の上に、指定された色に色調変更可能なフィルタレイヤを設け、さらに人物画像Ｓ３の上に、同じく指定された色に色調変更可能なフィルタレイヤを設けて、ユーザに、フィルタレイヤの色調を変更させる選択を行わせることで、フィルタの色をユーザの望む色に変更して、人物画像Ｓ２、Ｓ３の色調を変更させることもできる。
【図面の簡単な説明】
【０１３４】
【図１】本発明の実施の形態の写真シール作成装置の側面図である。
【図２】撮影側筐体を撮影ブース内から見た図である。
【図３】写真シール作成装置の機能構成を示すブロック図である。
【図４】クロマキ合成処理の概要を説明する図である。
【図５】撮影側の処理を示すフローチャートである。
【図６】編集側の処理を示すフローチャートである。
【図７】編集画像の入力処理を示すフローチャートである。
【図８】ぷくぷくフレーム処理を示すフローチャートである。
【図９】編集画像の入力処理時における編集画面の表示例である。
【図１０】パタン情報に対応するフレーム画像の例を示す図である。
【図１１】ぷくぷくフレームツールが選択された際の編集画面の表示例を示す図である。
【図１２】ユーザによりパタン情報が設定された際に編集エリアに表示されるフレーム画像の例を示す図である。
【図１３】ぷくぷくフレームツールが選択された際の編集画面におけるパレット表示の例を示す図である。
【図１４】パタン情報に対応するフレーム画像の例を示す図であって、図１０に示す例とは異なる例を示す図である。
【図１５】ぷくぷくスタンプを使用する場合におけるパレット表示の例を示す図である。
【図１６】重ね撮り処理を示すフローチャートである。
【図１７】重ね撮り撮影時にタッチパネルディスプレイに表示される画面例を示す図である。
【図１８】（ａ）は、重ね設定画面の例を示す図、（ｂ）はそのときの画像レイヤの関係を示す図である。
【図１９】（ａ）は、重ね設定画面の例を示す図、（ｂ）はそのときの画像レイヤの関係を示す図である。
【図２０】（ａ）は、重ね設定画面の例を示す図、（ｂ）はそのときの画像レイヤの関係を示す図である。
【図２１】（ａ）は、重ね設定画面の例を示す図、（ｂ）はそのときの画像レイヤの関係を示す図である。
【図２２】（ａ）は、統合前の画像レイヤの例を示す図、（ｂ）は、統合後の画像レイヤの例を示す図である。
【図２３】前景画像および後景画像として決定された画像を示す図である。
【図２４】カラーチェンジ処理を示すフローチャートである。
【図２５】カラーチェンジ処理時における編集画面の表示例を示す図である。
【図２６】トーンカーブを用いた色調変更処理を説明する図である。
【図２７】カラーチェンジ処理により編集された撮影画像の例を示す図である。
【図２８】カラーチェンジ処理により編集された撮影画像の例であって、図２７に示すものとは異なる例を示す図である。
【符号の説明】
【０１３５】
２    カメラ
６    撮影ブース
１９    タッチペン
２０    タブレットディスプレイ
２６ｂ  ＨＤＤ
【図１】
2007295032.tif 000003
【図２】
2007295032.tif 000004
【図３】
2007295032.tif 000005
【図４】
2007295032.tif 000006
【図５】
2007295032.tif 000007
【図６】
2007295032.tif 000008
【図７】
2007295032.tif 000009
【図８】
2007295032.tif 000010
【図９】
2007295032.tif 000011
【図１０】
2007295032.tif 000012
【図１１】
2007295032.tif 000013
【図１２】
2007295032.tif 000014
【図１３】
2007295032.tif 000015
【図１４】
2007295032.tif 000016
【図１５】
2007295032.tif 000017
【図１６】
2007295032.tif 000018
【図１７】
2007295032.tif 000019
【図１８】
2007295032.tif 000020
【図１９】
2007295032.tif 000021
【図２０】
2007295032.tif 000022
【図２１】
2007295032.tif 000023
【図２２】
2007295032.tif 000024
【図２３】
2007295032.tif 000025
【図２４】
2007295032.tif 000026
【図２５】
2007295032.tif 000027
【図２６】
2007295032.tif 000028
【図２７】
2007295032.tif 000029
【図２８】
2007295032.tif 000030